(57)【特許請求の範囲】
【請求項１】
第１の記録手段に記録された複数の映像素材及び音声素材の中から所望する素材を第１の映像素材及び第１の音声素材として登録する登録手段と、
上記第１の映像素材及び上記第１の音声素材を編集リストとして処理することによって当該編集リストを表示手段に表示させる表示処理手段と、
上記編集リストに従って上記第１の映像素材及び上記第１の音声素材を上記
第１の記録手段から再生させ、かつ上記第１の映像素材及び上記第１の音声素材に対し同じ識別番号が付加された第２の映像素材及び第２の音声素材を１つのグループとしてグループ化し、上記同じ識別番号のグループの代表とされる第３の映像素材及び第３の音声素材を抽出し、当該第３の映像素材及び第３の音声素材をバックアップデータとして第２の記録手段に記録させるように上記第１の記録手段及び上記第２の記録手段を制御する制御手段と
を具えることを特徴とする編集装置。
【請求項２】
上記表示処理手段は、上記バックアップデータのうちの最長の上記映像素材及び音声素材の素材長を上記表示手段の所定の部分に表示する
ことを特徴とする請求項１に記載の編集装置。
【請求項３】
上記表示処理手段は、上記バックアップデータのトータル時間を上記表示手段の所定の部分に表示する
ことを特徴とする請求項１に記載の編集装置。
【請求項４】
上記表示処理手段は、上記バックアップデータを上記第２の記録手段に記録する際の全所要時間に対する残存時間を上記表示手段の所定の部分に表示する
ことを特徴とする請求項１に記載の編集装置。
【請求項５】
上記表示処理手段は、上記バックアップデータを上記第２の記録手段に記録する際の上記バックアップに対する順番を上記表示手段の所定の部分に表示する
ことを特徴とする請求項１に記載の編集装置。
【請求項６】
上記表示処理手段は、上記第２の記録手段に記録された上記バックアップデータを編集するための外部記録手段に再記録されたか否かの表示を上記表示手段の所定の部分にアイコンの形式を用いて表示する
ことを特徴とする請求項１に記載の編集装置。
【請求項７】
第１の記録手段に記録された複数の映像素材及び音声素材の中から所望する素材を第１の映像素材及び第１の音声素材として登録する登録ステップと、
上記第１の映像素材及び上記第１の音声素材の編集リストとして処理することによって当該編集リストを表示手段に表示させる表示処理ステップと、
上記編集リストに従って上記第１の映像素材及び上記第１の音声素材を上記
第１の記録手段から再生させ、かつ上記第１の映像素材及び上記第１の音声素材に対し同じ識別番号が付加された第２の映像素材及び第２の音声素材を１つのグループとしてグループ化し、上記同じ識別番号のグループの代表とされる第３の映像素材及び第３の音声素材を抽出し、当該第３の映像素材及び第３の音声素材をバックアップデータとして第２の記録手段に記録させるように上記第１の記録手段及び上記第２の記録手段を制御する制御ステップと
を具えることを特徴とする編集方法。
【請求項８】
上記表示処理ステップでは、上記バックアップデータのうちの最長の上記映像素材及び音声素材の素材長を上記表示手段の所定の部分に表示する
ことを特徴とする請求項７に記載の編集方法。
【請求項９】
上記表示処理ステップでは、上記バックアップデータのトータル時間を上記表示手段の所定の部分に表示する
ことを特徴とする請求項７に記載の編集方法。
【請求項１０】
上記表示処理ステップでは、上記バックアップデータを上記第２の記録手段に記録する際の全所要時間に対する残存時間を上記表示手段の所定の部分に表示する
ことを特徴とする請求項７に記載の編集方法。
【請求項１１】
上記表示処理ステップでは、上記バックアップデータを上記第２の記録手段に記録する際の上記バックアップに対する順番を上記表示手段の所定の部分に表示する
ことを特徴とする請求項７に記載の編集方法。
【請求項１２】
上記表示処理ステップでは、上記第２の記録手段に記録された上記バックアップデータを編集するための外部記録手段に再記録されたか否かの表示を上記表示手段の所定の部分にアイコンの形式を用いて表示する
ことを特徴とする請求項７に記載の編集方法。
【発明の詳細な説明】
【０００１】
【発明の属する技術分野】
本発明は編集装置及び編集方法に関し、例えば磁気テープに記録された映像音声信号及びハードディスクに記録された映像音声信号を用いた編集（ハイブリッド編集）を行い得るようになされた編集システムに適用して好適なものである。
【０００２】
【従来の技術】
従来、この種の編集装置として、ビデオテープに記録された映像音声の所望部分をクリップとして登録し、当該登録された各クリップを所望の編集内容を規定した編集リストに従って編集処理を実行するようにして、得られた各クリップの映像及び音声データを編集リストのデータと共にハードディスク装置に記録するようになされている。
【０００３】
かかる編集装置で使用されるハードディスク装置において、その内部に設けられたハードディスクに記録できるデータ量には限界があり、実際上、オペレータの編集作業単位としての編集リストを構成する一連の映像音声群（以下、これをプロジェクトと呼ぶ）を２、３回記録する程度が限界であった。
【０００４】
このため編集装置は、ハードディスク装置内のハードディスクに記録されている各クリップの映像及び音声データを、所定のデータ転送速度でビデオテープレコーダ内のビデオテープにダウンロードしてバックアップする一方、当該ハードディスク装置内のハードディスクに記録された各クリップの映像及び音声データを消去することにより、当該ハードディスクのデータ容量を確保するようになされていた。
【０００５】
【発明が解決しようとする課題】
ところが、ハードディスク装置では、通常の映像音声フォーマットと異なるフォーマットで各クリップの映像及び音声データを記録する一方、ビデオテープレコーダ内のビデオテープに記録する信号フォーマットが異なるため、各クリップの映像及び音声データを編集リストのデータと共にそのままビデオテープに転送することができないという問題があった。
【０００６】
このためハードディスク装置内のハードディスクをいわゆるリムーバブル型のものを用いて当該ハードディスクごと交換する方法、又はコンピュータ用データに対応し得るバックアップ機器に保存する方法が提案されている。
【０００７】
しかしながら、これらの方法によればシステム全体としてのデータをバックアップすることはできても、編集作業単位であるプロジェクト単位でバックアップすることは非常に困難であり、さらに再度元のハードディスクにアップロードさせる以外の目的で使用される編集システムやビデオテープでは、バックアップした映像音声データをそのまま再現することが非常に困難であった。
【０００８】
特に映像特殊効果処理や音声合成処理等がかけられたクリップについては、単純に元のテープ素材に戻すことができないため、ハードディスク装置内のハードディスクから消去された場合には、もう一度テープ素材から編集作業をやり直さなければならないという問題があった。
【０００９】
本発明は以上の点を考慮してなされたもので、編集作業の効率を格段と向上し得る編集装置及び編集方法を提案しようとするものである。
【００１０】
【課題を解決するための手段】
かかる課題を解決するため本発明においては、第１の記録手段に記録された複数の映像素材及び音声素材の中から所望する素材を第１の映像素材及び第１の音声素材として登録し、登録された第１の映像素材及び第１の音声素材の編集リストを表示手段に表示させるための表示処理手段と、編集リストに従って第１の映像素材及び第１の音声素材を第１の記録手段から再生させると共に、第１の映像素材及び第１の音声素材に対し同じ識別番号が付加された第２の映像素材及び第２の音声素材を１つのグループとしてグループ化し、同じ識別番号のグループの中から代表とされる第３の映像素材及び第３の音声素材を抽出し、当該第３の映像素材及び第３の音声素材をバックアップデータとして第２の記録手段に記録させるように第１の記録手段及び第２の記録手段を制御する制御手段とを設けるようにした。
【００１１】
この結果この編集装置では、バックアップするデータを最小限に抑えることができるため、記録手段のメモリ容量を削減できるとともに編集効率を向上でき、かくして編集作業を格段に向上し得る。
【００１２】
第１の記録手段に記録された複数の映像素材及び音声素材の中から所望する素材を第１の映像素材及び第１の音声素材として登録し、登録された第１の映像素材及び第１の音声素材の編集リストを表示手段に表示させるための表示処理ステップと、編集リストに従って第１の映像素材及び第１の音声素材を第１の記録手段から再生させると共に、第１の映像素材及び第１の音声素材に対し同じ識別番号が付加された第２の映像素材及び第２の音声素材を１つのグループとしてグループ化し、同じ識別番号のグループの代表とされる第３の映像素材及び第３の音声素材を抽出し、当該第３の映像素材及び第３の音声素材をバックアップデータとして第２の記録手段に記憶させるように第１の記録手段及び第２の記録手段を制御する制御ステップと
【００１３】
この結果この編集方法では、バックアップするデータを最小限に抑えることができるため、記録手段のメモリ容量を削減できるとともに編集効率を向上でき、かくして編集作業を格段に向上し得る。
【００１４】
【発明の実施の形態】
以下図面について、本発明の一実施の形態を詳述する。
【００１５】
図１において、１は全体として本実施の形態による編集システムを示し、編集装置２は、ビデオテープに記録された映像音声の所望部分をクリップとして登録し得る一方、必要に応じて所望するクリップの映像信号及び音声信号をハードディスク装置３に取り込み得るようになされている。
【００１６】
またこの編集装置２では、登録された各クリップを所望状態につなぎ合わせて所望の編集映像音声を得るための編集内容に規定した編集リストを作成でき、さらにこの作成した編集リストに従って実際に編集処理を実行し、得られた編集映像及び編集音声をビテオテープに記録することができるようになされている。
【００１７】
すなわちこの編集装置２は、コンピュータ４、システム制御部５、映像入力部６、映像出力部７、ディジタル映像音声入出力部８、映像特殊効果処理部９、音声入出力／ミキサ部１０及びディスク制御部１１がコントロールバス１２を介して相互に接続されることにより構成されている。
【００１８】
この場合コンピュータ４は、初期時、ディスプレイ１３に所定の操作画面（以下、これをメイン画面と呼ぶ）を表示させる。またコンピュータ４は、この状態においてマウス１４が操作されることにより、クリップ登録モードが選択され、当該編集装置２に接続された複数台のビデオテープレコーダ１５Ａ〜１５Ｄの中から１台のビデオテープレコーダ１５Ａ〜１５Ｄの再生動作命令が入力されると、これに応じた制御コマンドＣ１をシステム制御部５に送出する。
【００１９】
システム制御部５は、供給される制御コマンドに基づいて、対応するビデオテープレコーダ１５Ａ〜１５Ｄに制御信号Ｓ１を送出することにより、ビデオテープに記録された映像信号及び音声信号の再生動作を実行させる。
【００２０】
この結果このビデオテープレコーダ１５Ａ〜１５Ｄからは、アナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入力部６又は音声入出力／ミキサ部１０に与えられ、ディジタル映像信号Ｓ４及びディジタル音声信号Ｓ５がディジタル映像音声入出力部８に与えられる。
【００２１】
またこのときシステム制御部５は、コントロールバス１２を介して映像入力部６及び音声入出力／ミキサ部１０と、ディジタル映像音声入出力部８とのうちのいずれか一方を制御することにより、ビデオテープレコーダ１５Ａ〜１５Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００２２】
かくして映像入力部６を介してアナログ映像信号Ｓ２が取り込まれた場合には、これが映像入力部６においてディジタル変換された後ディジタル映像信号Ｓ６として映像特殊効果処理部９に与えられ、ディジタル映像音声入出力部８を介してディジタル映像信号Ｓ４が取り込まれた場合には、これがそのまま映像特殊効果処理部９に与えられる。
【００２３】
映像特殊効果処理部９は、システム制御部５の制御のもとに、映像入力部６又はディジタル映像音声入出力部８から供給されるディジタル映像信号Ｓ６、Ｓ４をコンピュータ４に送出する。かくしてこのディスプレイ１３には、コンピュータ４の制御のもとにディジタル映像信号Ｓ６、Ｓ４に基づく映像がメイン画面上の所定位置に表示される。
【００２４】
またこのときアナログ音声信号Ｓ３が取り込まれた場合には、これがそのまま音声入出力／ミキサ部１０から図示しないスピーカに送出され、またディジタル音声信号Ｓ５が取り込まれた場合には、これが音声入出力／ミキサ部１０においてアナログ変換された後、スピーカに送出される。
【００２５】
これによりこの編集装置２では、ディスプレイ１３に表示された映像及びスピーカから出力される音声に基づいて、オペレータがマウス１４及びキーボード１６を用いて映像及び音声の所望部分を指定することができ、さらにこれをクリップとしてそのイン点及びアウト点のタイムコードや素材長（デュレーション）等の関連データをコンピュータ４内に登録することができるようになされている。
【００２６】
またコンピュータ４は、このとき予め取込みモードが選択されている場合には、これに応じた制御コマンドＣ１をシステム制御部５に送出する。
【００２７】
システム制御部５は、供給される制御コマンドＣ１に基づいて、対応するビデオテープレコーダ１５Ａ〜１５Ｄに制御信号Ｓ１を送出することにより、指定されたクリップの映像音声を当該ビデオテープレコーダ１５Ａ〜１５Ｄに再生させる一方、映像入力部６及び音声入出力／ミキサ部１０と、ディジタル映像音声入出力部８とのいずれか一方をコントロールバス１２を介して制御することにより、ビデオテープレコーダ１５Ａ〜１５Ｄから出力されるアナログ映像信号Ｓ２及びアナログ音声信号Ｓ３と、ディジタル映像信号Ｓ４及びディジタル音声信号Ｓ５とのうちのいずれか一方を取り込ませる。
【００２８】
この結果映像入力部６を介してアナログ映像信号Ｓ２が取り込まれた場合には、これが映像入力部６においてディジタル変換された後ディジタル映像信号Ｓ６として映像特殊効果処理部９を介してディジタル映像信号Ｓ４が取り込まれた場合には、これがそのままディスク制御部１１に送出される。
【００２９】
またこのとき音声入出力／ミキサ部１０を介してアナログ音声信号Ｓ３が取り込まれた場合には、これが音声入出力／ミキサ部１０においてディジタル変換された後ディジタル音声信号Ｓ７としてディスク制御部１１に送出され、ディジタル映像音声入出力部８を介してディジタル音声信号Ｓ５が取り込まれた場合には、これが直接ディスク制御部１１に送出される。
【００３０】
そしてディスク制御部１１は、このときシステム制御部５からコントロールバス１２を介して与えられるコマンドに基づいて、映像特殊効果処理部９又はディジタル映像音声入出力部８から与えられるディジタル映像信号Ｓ６、Ｓ４と、音声入出力／ミキサ部１０又はディジタル映像音声入出力部８から与えられるディジタル音声信号Ｓ７、Ｓ５とを順次取り込み、これらをハードディスク装置３に与えてハードディスクの指定されたアドレス位置に記録させる。
【００３１】
このようにしてこの編集装置２においては、指定されたクリップの映像音声をビデオテープから再生してハードディスク装置３に取り込むことができるようになされている。
【００３２】
一方コンピュータ４は、上述のようにしてクリップが登録されると、ディスプレイ１３に表示されているメイン画面内に、登録されたクリップのリストを表示させる。
【００３３】
そしてオペレータは、このメイン画面を用いてどのクリップとどのクリップとをどのように繋ぎ合わせるかといった編集内容を規定した編集データを編集リストとして作成することができる。またオペレータは、編集リストの再生後又は作成途中において、その編集リストに基づく編集映像及び編集音声を確認することができる。
【００３４】
なおコンピュータ４は、編集リストが作成された後マウス１４を介してその編集データの登録命令が入力された場合には、その編集リストにおいて設定された全てのユーザプログラムによる編集データをファイル化（以下、編集データのファイルをプロジェクトファイルと呼ぶ）してハードディスク装置３に格納する。これによりプロジェクトファイル単位でその再現性を確実に保つことができるようになされている。
【００３５】
実際上、コンピュータ４は、編集リストの作成後又は作成途中において、その編集リストに基づく編集映像音声のプレビューモードが選択されると、これに応じた制御コマンドＣ１をシステム制御部５に送出する。
【００３６】
システム制御部５は、供給される制御コマンドＣ１に基づいて、必要に応じて対応するビデオテープレコーダ１５Ａ〜１５Ｄに制御信号Ｓ１を送出することにより、当該ビデオテープレコーダ１５Ａ〜１５Ｄに編集処理に利用するクリップの映像音声を再生させる一方、必要に応じてコントロールバス１２を介してディスク制御部１１を制御することにより、編集処理に利用するクリップの映像音声をハードディスク装置３から再生させる。
【００３７】
この結果このビデオテープレコーダ１５Ａ〜１５Ｄからは指定されたクリップのアナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入出力部６又は音声入出力／ミキサ部１０に与えられ、ディジタル映像信号Ｓ４及びディジタル音声信号Ｓ５がディジタル映像音声入出力部８に与えられる。
【００３８】
このときシステム制御部５は、コントロールバス１２を介して映像入力部６及び音声入出力／ミキサ部１０と、ディジタル映像音声入出力部８とのうちのいずれか一方を制御することにより、ビデオテープレコーダ１５Ａ〜１５Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００３９】
かくして映像入力部６を介してアナログ映像信号Ｓ２が取り込まれた場合には、これが映像入力部６においてディジタル変換された後ディジタル映像信号Ｓ６として映像特殊効果処理部９に与えられ、ディジタル映像音声入出力部８を介してディジタル映像信号Ｓ４が取り込まれた場合には、これがそのまま映像特殊効果処理部９に与えられる。
【００４０】
映像特殊効果処理部９においては、システム制御部５の制御のもとに、供給される各クリップのディジタル映像信号Ｓ６、Ｓ４を必要に応じて指定された状態に特殊効果加工処理する。また映像特殊効果処理部９は、このときコンピュータ４から必要に応じて与えられるタイトル文字や各種グラフィック等の画像データを各クリップのディジタル映像信号Ｓ６、Ｓ４間に挿入し、又はディジタル映像信号Ｓ７、Ｓ５に重畳し、かくして得られたディジタル編集映像信号Ｓ８を映像出力部７に送出する。
【００４１】
映像出力部７は、システム制御部の制御のもとに、供給されるディジタル編集映像信号をアナログ変換し、得られた編集映像信号をモニタに送出する。
【００４２】
一方このときビデオテープレコーダ１５Ａ〜１５Ｄから出力されたアナログ音声信号Ｓ３及びディジタル音声信号Ｓ５のうち、音声入出力／ミキサ部１０を介してアナログ音声信号Ｓ３が取り込まれた場合には、これが音声入出力／ミキサ部１０において必要に応じてミキシング等の編集処理が施された後編集音声信号としてスピーカに送出され、ディジタル映像音声入出力部８を介してディジタル音声信号Ｓ５が取り込まれた場合には、これが音声入出力／ミキサ部１０においてアナログ変換され、ミキシング等の編集処理が施された後、編集音声信号としてスピーカに送出される。
【００４３】
この結果この編集装置２においては、モニタ１７に編集映像信号に基づく編集映像が表示されると共にスピーカから編集音声信号に基づく編集音声が出力され、かくしてオペレータが編集リストに基づく編集映像及び編集音声を確認することができる。
【００４４】
さらにコンピュータ４は、編集リストが作成された後、マウス１４又はキーボード１６が操作されてその実行命令が入力されると、これに応じた制御コマンドＣ１をシステム制御部５に送出する。
【００４５】
システム制御部５は、供給される制御コマンドＣ１に基づいて、必要に応じて対応するビデオテープレコーダ１５Ａ〜１５Ｄに制御信号Ｓ１を送出することにより当該ビデオテープレコーダ１５Ａ〜１５Ｄに編集処理を利用するクリップの映像音声を再生させる一方、必要に応じてコントロールバス１２を介してディスク制御部１１を制御することにより、ハードディスク装置３から編集処理に利用するクリップの映像音声を再生させる。
【００４６】
この結果上述のプレビューモード時と同様にして、映像特殊効果処理部９には、ビデオテープレコーダ１５Ａ〜１５Ｄから映像入力部６若しくはディジタル映像音声入出力部８を経由して必要なクリップのディジタル映像信号Ｓ６、Ｓ４が与えられ、又はハードディスク装置３からディスク制御部１１を経由して必要なクリップのディジタル映像信号Ｓ７、Ｓ５が与えられる。
【００４７】
またこのとき音声入出力／ミキサ部１０には、ビデオテープレコーダ１５Ａ〜１５Ｄから直接若しくはディジタル映像音声入出力部８を経由して必要なクリップのアナログ音声信号Ｓ３若しくはディジタル音声信号Ｓ５が与えられ、又はハードディスク装置３からディスク制御部１１を経由して必要なクリップのディジタル音声信号Ｓ７、Ｓ５が与えられる。
【００４８】
そして映像特殊効果処理部９は、システム制御部１１の制御のもとに、上述のプレビューモード時と同様にして、供給される各クリップのディジタル映像信号Ｓ６、Ｓ４を必要に応じて特殊効果加工処理し、かくして得られた編集映像の映像信号でなるディジタル編集映像信号Ｓ８を映像出力部７に送出する。
【００４９】
映像出力部７は、システム制御部５の制御のもとに、供給されるディジタル編集映像信号Ｓ８をアナログ変換し、得られた編集映像信号Ｓ９を対応するビデオテープレコーダ１５Ａ〜１５Ｄに送出する。
【００５０】
またこのとき音声入出力／ミキサ部１０は、システム制御部５の制御のもとに、上述のプレビューモード時と同様にして、供給される各クリップのアナログ音声信号Ｓ２又はディジタル音声信号Ｓ７、Ｓ５に対して必要に応じてミキシング等の編集処理を施し、かくして得られた編集音声信号Ｓ１０を対応するビデオテープレコーダ１５Ａ〜１５Ｄに送出する。
【００５１】
ビデオテープレコーダ１５Ａ〜１５Ｄは、システム制御部５から与えられる制御信号Ｓ１に基づいて、これら映像出力部７から供給される編集映像信号Ｓ９と、音声入出力／ミキサ部１０から供給される編集音声信号Ｓ１０とをビデオテープの指定された位置に記録する。
【００５２】
このようにしてこの編集装置２では、作成された編集リストに従って指定されたクリップの映像音声を指定された状態に編集加工してビデオテープに記録（すなわちダウンロード）することができるようになされている。
【００５３】
かかる構成に加えてこの編集装置２では、コンピュータ４は、プロジェクトごとにハードディスク装置４に記録されているプロジェクトファイルのうちクリップの映像音声のみ（すなわち編集リストやタイトルクリップを除く）を所定間隔（例えばプリロール分を含む４秒）で仮想のタイムスケール（以下、これを仮想タイムスケールと呼ぶ）にカット繋ぎで並べた後、記録用のビデオテープレコーダ１５Ａ〜１５内のビデオテープにダウンロードしてバックアップさせるようになされている。
【００５４】
このときコンピュータ４は、プロジェクトファイルを構成するクリップのうち、同じＩＤ番号をもつクリップ同士があれば、これらを１つのグループとして各グループごとに代表のクリップを選出した後、当該代表のクリップのみをバックアップの対象とすることにより、ビデオテープの記録容量を最小限に抑え得るようになされている。なおコピーの元のクリップのＩＤが既に削除されてコピーしか残存しない場合には、コンピュータ４は、当該コピーしたクリップを含むグループの中から代表を選出して、これをバックアップ対象とするようになされている。
【００５５】
その際、コンピュータ４は、バックアップ対象となるビデオテープレコーダ１５Ａ〜１５Ｄについて、ダウンロード中にテープエンドやオペレータによる停止指令等に起因してビデオテープが記録終了又は停止状態になり、その旨がコンピュータ４に与えられると、当該ビデオテープレコーダ１５Ａ〜１５Ｄへのダウンロードを中断する。そしてコンピュータ４は、記録が中断したクリップを仮想タイムスケールの先頭から配置し直した後、当該中断したクリップの先頭から新たにダウンロードを行うようになされている。
【００５６】
またコンピュータ４は、ビデオテープへのバックアップを行う前に、所定のテープフォーマットに応じてビデオテープを１分間だけフォーマット化した後、これを元に時系列的に繋ぎ合わせる編集（すなわちアッセンブル編集と呼ぶ）を行うようにしてマスタテープを作成するようになされている。
【００５７】
このようなビデオテープへのバックアップが終了すると、コンピュータ４は、ハードディスク装置３に記録されているプロジェクトファイルに加えて、バックアップ対象となったビデオテープのテープ名及び記録開始のタイムコードを付加したファイル（以下、これをバックアップファイルと呼ぶ）を作成する。
【００５８】
なおコンピュータ４は、生成したバックアップファイルに元のプロジェクトファイルと異なる拡張子を付加してハードディスク装置３内のハードディスクに記録しておくことにより、ソフトウェア上においてプロジェクトファイルとバックアップファイルとを区別し得るようになされている。
【００５９】
一方コンピュータ４は、バックアップ対象でなるビデオテープからハードディスク装置３にプロジェクト単位でクリップの映像音声をアップロード（以下、これをリストアと呼ぶ）するようになされている。
【００６０】
このときコンピュータ４は、バックアップ対象でなるビデオテープに応じたタイムスケールが、上述した仮想タイムスケールと同じであるため、当該ビデオテープに記録されたクリップの映像音声の記録開始のタイムコードと当該クリップのデュレーションを基準として、各クリップごとにアップロードすることができる。またコンピュータ４は、ハードディスクに対応するコンピュータ用データのフォーマットでかつ元のタイムスケールでハードディスク装置３にリストアするようになされている。
【００６１】
コンピュータ４は、バックアップファイルをハードディスク装置３内のハードディスクにアップロードするごとに、各クリップのＩＤ番号を新たにプロジェクトファイルに登録することにより、元のＩＤ番号と同じＩＤ番号をもつクリップがハードディスク装置３内のハードディスクに記録されていても、当該クリップを破棄する必要がなくて済む。
【００６２】
またコンピュータ４は、バックアップファイルを構成するクリップのうち、同じＩＤ番号をもつクリップ同士があれば、これらを１つのグループとして各グループごとに代表のクリップを選出した後、当該代表のクリップのみをリストアすることなくハードディスク装置３からコピーさせる。
【００６３】
なおオペレータのマウス操作によってリストアが途中で中止された場合や、リストアの途中でアップロードに不具合（映像音声の乱れ）が生じた場合、コンピュータ４は、当該リストアが不十分であったクリップのタイムコードに基づいてそのクリップに対して再度リストアをやり直すことができる。
【００６４】
このときリストアが済んでいないクリップについて、映像特殊効果処理や音合成処理等によって元の素材に戻すことができない素材部分であっても、メイン画面３０上のクリップ情報表示部３２にサムネイルピクチャＴＨ１〜ＴＨ６として表示されたものに関しては、リストアが不十分な場合でも、そのまま対応するサムネイルピクチャＴＨ１〜ＴＨ６を表示しておくことにより、オペレータは再度リストアをやり直すことができるクリップを目視確認のみで判断することができる。
【００６５】
（２）コンピュータの構成
ここでコンピュータ４は、図２に示すように、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、表示処理部２３、タイトル／グラフィック生成部２４、インタフェース回路２５、２６及びＳＣＳＩ（Ｓｍａｌｌ  Ｃｏｍｐｕｔｅｒ  Ｓｙｓｔｅｍ  Ｉｎｔｅｒｆａｃｅ）インタフェース回路２８がＣＰＵバス２７を介して接続されることにより構成されており、各インタフェース回路２５、２６をそれぞれ介してマウス１４及びキーボード１６と接続され、ＳＣＳＩインタフェース回路２８を介してハードディスク装置３と接続されている。
【００６６】
この場合ＣＰＵ２０は、ＲＯＭ２１に格納されたプログラムに基づいて、必要に応じてＲＯＭ２１内の画像データを読み出し、これを表示処理部２３を介してディスプレイ１３に与えることにより、後述のようなメイン画面や各種ダイアログ、マウス操作に応動してメイン画面内を移動するカーソル及びキーボード１６を介して入力された数字や文字などをディスプレイ１３に表示させ、かつ映像特殊効果処理部９からタイトル／グラフィック生成部２４を介して表示処理部２３に与えられるディジタル映像信号Ｓ６、Ｓ４に基づく動画像や静止画像をメイン画面内の所定位置に表示させる。
【００６７】
またＣＰＵ２０は、例えばマウス１４やキーボード１６が操作されることにより所定処理の実行命令がインタフェース回路２５、２６を介して与えられると、ＲＯＭ２１に格納されたプログラムに基づいて、必要に応じてシステム制御部５に制御コマンドＣ１を送出することにより、当該システム制御部５を介して対応するビデオテープレコーダ１５Ａ〜１５Ｄ、映像入力部６、映像出力部７、ディジタル映像音声入出力部８、映像特殊効果処理部９、音声入出力／ミキサ部１０及び又はディスク制御部１１に所定動作を実行させ、かくして編集システム１全体として上述したような各種処理を実行させる。
【００６８】
さらにＣＰＵ２０は、ＲＯＭ２１に格納されたプログラムに基づいて、必要時にはタイトル／グラフィック生成部２４を制御してタイトル文字やグラフィックの画像データを生成させてこれを映像特殊効果処理部９に送出させ、かくしてこれらタイトル文字やグラフィックを編集映像に反映させるようになされている。
【００６９】
（３）メイン画面における操作手順
ここで実際上ＣＰＵ２０は、電源が投入された立ち上がり時、ＲＯＭ２１に格納されているプログラムに基づいて、まず図３に示すようなメイン画面３０をディスプレイ１３に表示させる。
【００７０】
このメイン画面３０には、オペレータが所望する処理内容を選択するためのメニュー欄及び複数のボタン３１Ａ〜３１Ｑと、登録された各クリップのリスト等を表示するためのクリップ情報表示部３２と、編集リスト作成時における各種処理を指定するための複数のボタン３３Ａ〜３３Ｔと、編集リストを作成するための編集リスト作成部３５とが設けられている。
【００７１】
そしてこのメイン画面３０では、画面上段のビデオクリップエディットボタン３１Ｋをクリックすることによって、図４のようなビデオクリップエディットダイアログ４０、ライブ映像表示ダイアログ４１及び音声レベル表示ダイアログ４２をメイン画面３０上に重ねて表示させることができる。
【００７２】
この場合ビデオクリップエディットダイアログ４０では、左側上段に各ビデオテープレコーダ１５Ａ〜１５Ｄにそれぞれ対応させてソース選択ボタン５０Ａ〜５０Ｄが複数表示されており、マウス操作によりこれらソース選択ボタン５０Ａ〜５０Ｄのうちのいずれか１つをクリックすることにより所望の１台のビデオテープレコーダ１５Ａ〜１５Ｄを選択することができる。
【００７３】
そしてオペレータは、いずれかのソース選択ボタン５０Ａ〜５０Ｄを選択した後、当該ビデオクリップエディットダイアログ４０内に表示されたいずれかのビデオ操作用ボタン５１をクリックすることによって、対応するビデオテープレコーダ１５Ａ〜１５Ｄに選択したビデオ操作用ボタン５１に応じた動作を実行させることができる。なおビデオクリップエディットダイアログ４０内のスライダ５２をドラッグ操作することによっても、同様にして対応するビデオテープレコーダ１５Ａ〜１５Ｄに再生動作を実行させることができる。
【００７４】
そしてこのときビデオテープレコーダ１５Ａ〜１５Ｄに再生動作や変速再生動作を実行させた場合、当該ビデオテープレコーダ１５Ａ〜１５Ｄによりビデオテープから再生された映像がこのライブ映像表示ダイアログ４１内のライブ映像表示部５３内に表示され、各音声チャンネルの音声レベルが音声レベル表示ダイアログ４２内にメータ表示される。
【００７５】
かくしてオペレータは、このライブ映像表示部５３内に表示された映像を目視確認しながらイン点指定用ボタン５４又はアウト点指定用ボタン５５をクリックすることによってクリップとして登録しようとする映像部分のイン点及びアウト点を指定することができる。そしてこのとき指定されたイン点及びアウト点の画像がそれぞれビデオクリップエディットダイアログ４０のイン点画像表示部５６又はアウト点画像表示部５７内に表示される。
【００７６】
またこのときイン点又はアウト点として指定された各画像のビデオテープにおけるタイムコードがそれぞれビデオクリップエディットダイアログ４０のイン点タイムコード表示部５８又はアウト点タイムコード表示部５９にそれぞれ表示され、指定されたクリップの素材長（デュレーション）がデュレーション表示部６０に表示される。
【００７７】
なおビデオクリップエディットダイアログ４０では、コマ送りボタン６１Ａ、６１Ｂをクリックすることによって、ライブ映像表示ダイアログ４１内に表示された映像を順方向又は逆方向にコマ送り表示させることができ、またライブ映像移動ボタン６２Ａ、６２Ｂをクリックすることによってライブ映像表示ダイアログ４１内の表示画像をイン点又はアウト点まで移動させることができる。
【００７８】
そしてオペレータは、上述のようにしてクリップのイン点及びアウト点を指定した後登録ボタン６３をクリックすることによって、その映像のイン点からアウト点までの部分をクリップとして登録することができる。
【００７９】
このときディスプレイ１３に表示されているそのクリップのイン点及びアウト点のタイムコードや、素材長及び保存位置（ビデオテープ又はハードディスク装置３内）等の関連データがデータベースとしてコンピュータ４（図２）内のＲＡＭ２２に取り込まれる。またこのようにして登録したクリップのイン点及びアウト点のタイムコードや素材長等の関連データが図５のようにメイン画面３０のクリップ情報表示部３２内に表示される。
【００８０】
さらにこのとき（図示せず）しない設定画面上で予め取込みモードを選択している場合には、このクリップの映像音声が上述のようにしてハードディスク装置３に取り込まれ、かつそのクリップの保存位置がハードディスク装置３内であることを表すデータ（例えばフラグ）がデータベース内の対応する位置に格納される。
【００８１】
因にこのときこの編集装置２では、このクリップの映像信号及び音声信号を指定された範囲（すなわち指定されたイン点からアウト点まで）よりも前後所定時間分（例えば２秒分）だけ余分にハードディスク装置３に取り込まれる。またこのとき例えば上述の設定画面上で予めリンクモードを選択している場合には映像及び音声がデータとしてリンクしてハードディスク装置３に取り込まれる一方、ノンリンクモードを選択している場合には映像及び音声がデータとしてリンクされないでハードディスク装置３に取り込まれる。
【００８２】
そしてビデオクリップエディットダイアログ４０では、ニューエディットボタン６４をクリックすることによって初期状態に戻すことができ、これによりオペレータがこの後上述と同様の手順により他のクリップを順次登録することができる。
【００８３】
またビデオクリップエディットダイアログ４０では、リプレイスボタン６５をクリックした後、所望するクリップを選択することによって、当該クリップのイン点及びアウト点等の設定を更新することができ、さらに右上に表示されたクローズドボタン６５をクリックすることによって、このビデオクリップエディットダイアログ４０をクローズさせることができる。
【００８４】
一方オペレータは、上述のようにしてメイン画面３０のクリップ情報表示部３２に登録されたクリップのリスト（以下、このリストの範囲内の一連の映像音声素材群をプロジェクトと呼ぶ）が表示された状態（図５）において、このメイン画面の編集リスト作成部３５を利用して以下の方法により編集リストを作成することができる。
【００８５】
図５に示すメイン画面３０のクリップ情報表示部３２には、登録されたクリップのリストがテキスト方式で表示されているが、オペレータの選択に応じて当該クリップ情報表示部３２を図６に示すようなピクチャ方式に変換することにより、登録されたクリップをそれぞれサムネイルピクチャＴＮ１〜ＴＮ６として表示することができる。
【００８６】
この場合まずマウス操作によりクリップ情報表示部３２内の所望のクリップの段にカーソルを合わせた後、マウス１４（図１）のボタンを押下するようにして１つのクリップを指定し、その状態のままカーソルを、編集リスト作成部３５のタイムスケール３５Ａを指標として、第１又は第２のビデオトラック３５Ｃ、３５Ｅ内の所望位置に移動させた後、マウス１４のボタンを放すようにする。
【００８７】
この結果図７に示すように、この第１又は第２のビデオトラック３５Ｃ、３５Ｅ内にそのときのカーソルの位置を先頭として、上述のようにして指定されたクリップの素材長に応じた長さの枠７０Ａ〜７０Ｄが表示される。またこのときそのクリップの映像と音声がリンクされて登録されている場合には、その枠７０Ａが表示された第１又は第２のビデオトラック３５Ｃ、３５Ｅと対応する第１又は第２のオーディオトラック３５Ｇ、３５Ｈ上に第１又は第２のビデオトラック３５Ｃ、３５Ｅ内に表示された枠とタイムスケール３５Ａ上で同じ位置に同じ長さの枠７１Ａ〜７１Ｄが表示される。
【００８８】
そしてオペレータは、上述のような操作を繰り返し行い、タイムスケール３５Ａの始めのタイムコード（「００：００．００：００」）から所望するタイムコードまで（すなわち所望する時間分だけ）タイムスケール上において連続するように、第１又は第２のビデオトラック３５Ｃ、３５Ｅと、第１又は第２のオーディオトラック３５Ｇ、３５Ｈとに順次枠７０Ａ〜７０Ｄ、７１Ａ〜７１Ｄを表示させるようにする。
【００８９】
ここでこのように編集リスト表示部３５の第１又は第２のビデオトラック３５Ｃ、３５Ｅや、第１又は第２のオーディオトラック３５Ｇ、３５Ｈに枠７０Ａ〜７０Ｄ、７１Ａ〜７１Ｄが表示されることは、編集映像音声の出力時にタイムスケール３５Ａで表された時間にその枠７０Ａ〜７０Ｄ、７１Ａ〜７１Ｄに対応するクリップの映像が表示され又は音声が出力されることを意味する。従つてこのような操作により編集映像として表示され、又は編集音声として出力されるクリップ映像又は音声を順次規定してなる編集リストを作成することができる。
【００９０】
なおこのようにして編集リストを作成する際、例えば第１のクリップの映像から第２のクリップの映像への切り換わり時に映像特殊効果処理を施したいときには、先行する第１のクリップに対応する第１の枠７０Ａを一方の第１又は第２のビデオトラック３５Ｃ、３５Ｅに表示させると共に、当該第１の枠７０Ａの後側の一部とその前側の一部がタイムスケール３５Ａでのタイムコードが重なるように、後行する第２のクリップに対応する第２の枠７０Ｂを他方の第２又は第１のビデオトラック３５Ｅ、３５Ｃ上に表示させる。
【００９１】
続いて画面中段部のセレクトエフェクトボタン３３Ｒをクリックする。この結果メイン画面３０上に、例えば図８のような実行できる各種映像特殊効果処理の内容を表すアイコン（以下、これらをエフェクトアイコンと呼ぶ）７３Ａ〜７３Ｙが複数表示された所定のダイアログ（以下、これをセレクトエフェクトダイアログと呼ぶ）７２を表示させることができる。
【００９２】
次いで所望する映像特殊効果処理のエフェクトアイコン７３Ａ〜７３Ｙ上にカーソルを移動させ、この後マウス１４（図１）のボタンを押下し、その状態でカーソルを上述の編集リスト作成部３５のエフェクトトラック３５Ｄにおける第１及び第２の枠７０Ａ、７０Ｂがタイムスケール３５Ａ上でタイムコードが重なり合う部分に移動させてマウス１４のボタンを放す（ドラッグアンドドロップ）するようにする。
【００９３】
この結果セレクトエフェクトダイアログ７２内のドラッグされたエフェクトアイコン７３Ａ〜７３Ｙが画面上をカーソルと一体に移動してドロップされた位置に貼り付けられた状態に表示される。
【００９４】
これにより一方の第１又は第２のビデオトラック３５Ｃ、３５Ｅに表示された第１の枠７０Ａに対応するクリップの映像と、他方の第２又は第１のビデオトラック３５Ｅ、３５Ｃに表示された第２の枠７０Ｂに対応するクリップの映像との繋ぎ部分において上述のようにして貼り付けられたエフェクトアイコン７３Ａ〜７３Ｙに応じた映像特殊効果処理を実行すべき旨の指示を入力することができる。
【００９５】
またこのようにして編集リストを作成した後又は編集リストの作成時に、メイン画面３０の画面中段に表示されたプレビューボタン３３Ｄをクリックしてプレビューモードを選択することによって、上述のようにこの編集リストに基づく編集映像をモニタ１７（図１）に表示させ、また当該編集リストに基づく編集音声をスピーカから出力させることができる。
【００９６】
上述のようにして編集リストを作成した後、メイン画面３０の画面中段に表示された記録ボタン３３Ｇをクリックしてダウンロードモードを選択することによって、上述のように当該編集リストに基づく編集処理を実行させ、かくして得られた編集映像及び編集音声を予め指定したビデオテープレコーダ１５Ａ〜１５Ｄを介してビデオテープに記録させることができる。
【００９７】
（４）バックアップダイアログ
ここでオペレータは、メイン画面３０の上段に設けられたメニュー欄の「ｔｏｏｌｓ」を選択して図示しないツールダイアログを表示させた後、さらにその中の「Ｂａｃｋ  ｕｐ」（すなわちバックアップモード）を選択することよって、図９に示すようなバックアップダイアログ８０を表示させることができる。
【００９８】
そしてオペレータは、このバックアップダイアログ８０を用いて、ハードディスク装置３内のハードディスクに記録されている各クリップの映像及び音声データをビデオテープレコーダ１５Ａ〜１５Ｄ内のビデオテープにダウンロードするようにしてバックアップすることができる。
【００９９】
実際上このバックアップダイアログ８０では、メイン画面３０上に表示されたプロジェクトについて、画面左上には、バックアップ対象となるビデオテープレコーダ１５Ａ〜１５Ｄのオーディオ入力として必要な最大チャンネル数８１を表示される（例えば２チャンネルの場合には「Ａｕｄｉｏ  ２ｃｈ」として表示される）と共に、その下方に当該プロジェクトにおける全クリップ数８２が表示され、さらに必要に応じて残存クリップ数８３及びバックアップ対象となるビデオテープのリール名８４が表示される。
【０１００】
またこのバックアップダイアログ８０の画面右上には、このプロジェクトのうち最長のクリップのディレーション（素材長）をタイムコードで表示すると共に、当該プロジェクトのバックアップの全所要時間及びその全所要時間に至るまでの残存時間がそれぞれ表示される。この場合、オペレータは、このプロジェクトの各クリップの映像及び音声データを複数のビデオテープに分けてバックアップする際に最長デュレーションを目安とすることにより、クリップの途中でテープエンドになるのを未然に回避することができる。
【０１０１】
さらにこのバックアップダイアログ８０の画面中段には、バックアップ順番ダイアログ８５及び出力信号フォーマットダイアログ８６がそれぞれ表示されており、これら各ダイアログ８５、８６内に、オペレータにより設定された順番決定事項８７及び出力信号フォーマット８８がそれぞれ表示される。これら順番決定事項８７及び出力信号フォーマット８８の選択は、それぞれ各ダイアログ８５、８６の右横に表示されたプルダウンボタン８５Ａ、８６Ａをクリックすることによってオープンさせることができるダイアログを用いてそれぞれ行うことができる。
【０１０２】
このバックアップ順番ダイアログ８５にプルダウン表示される順番決定事項８７には、図１０に示すように自動設定「Ａｕｔｏ」、素材長「Ｄｕｒａｔｉｏｎ」、日付「Ｄａｔｅ」及び識別番号「ＩＤ」があり、自動設定を選択した場合にはクリップビンの並びがそのままバックアップの順番となり、素材長を選択した場合には素材長の長い順番が、また日付を選択した場合には日付の早い順番が、さらに識別番号を選択した場合にはＩＤ番号の小さい順番がそのままバックアップの順番となる。
【０１０３】
また出力信号フォーマットダイアログ８６にプルダウン表示される出力信号フォーマット８８には、図１１に示すように「アドレス／ＳＤＩ」、「ＳＤＴＩ」、「ＳＤＴＩ〔通常〕」及び「ＳＤＴＩ（４倍速）」があり、バックアップ対象となるビデオテープに対応する信号フォーマットが選択される。
【０１０４】
なおバックアップ順番ダイアログ８５の下側には、クリップビン名８９及びクリップ名９０がそれぞれハードディスク装置３及バックアップ対象となるビデオテープレコーダ１５Ａ〜１５Ｄへのデータ転送中に表示される。
【０１０５】
またバックアップダイアログ８０の画面下段には、バックアップ中にトータル時間に至るまでの進行状況を表わすプログレスバー９１が表示されている。このプログレスバー９１の下側には、バックアップ表示部９２、中断表示部９３、全中止表示部９４、再バックアップ表示部９５、コントローラ表示部９６、キャンセル表示部９７及びヘルプ表示部９８がそれぞれ表示されており、このうち操作有効状態にある表示部９２〜９８をマウス操作によりクリックすることにより当該各表示部９２〜９８に割り当てられた機能を実行するようになされている。
【０１０６】
実際にこのバックアップダイアログ８０は、メイン画面３０上に重畳して表示されると、まずプロジェクトファイル８０を構成する全てのクリップについて、それぞれＩＤ番号をチェックすることにより、同じＩＤ番号をもつクリップ同士があれば、これらを１つのグループとして各グループごとに代表のクリップを選出した後、当該代表のクリップのみをバックアップの対象とする。このときチェック中の旨のメッセージがプログレスバー９１の上側に「Ｃｈｅｃｋｉｎｇ  Ｃｌｉｐｓ」として表示されると共にプログレスバー９１に全クリップに対するチェックしたクリップの割合が表示される。
【０１０７】
またバックアップダイアログ８０では、バックアップファイル名が決定されていない状態においてバックアップ表示部９２がクリックされると、当該バックアップダイアログ８０の隣接して図１２に示すようなセーブダイアログ１００がメイン画面３０上に重畳して表示される。
【０１０８】
このセーブダイアログ１００には、ビデオテープに割り当てられたユーザーズビットやカセットメモリのようなビデオテープに情報を保存させる機能が画面中央の表示欄１０１に表示されており、画面下段にはバックアップファイル名表示欄１０２が表示されている。オペレータはこのバックアップファイル名表示欄１０２にマウス１４又はキーボード１６を操作して所望のバックアップファイル名を入力することができる。
【０１０９】
そしてオペレータは、セーブダイアログ１００の右上に表示されたクローズドボタン１０１Ａをクリックするようにして、メイン画面３０上にインプットリールネームダイアログ１０３をオープンさせる。
【０１１０】
このインプットリールネームダイアログ１０３には、編集装置２に接続された各ビデオテープレコーダ１５Ａ〜１５Ｄのうち記録用のビデオテープレコーダ１５Ａ〜１５Ｄに対応する「ＲＥＣ」の文字が表示されると共に、バックアップ対象となるビデオテープのリール名表示欄１０４が表示されている。オペレータはこのリール名表示欄１０４にマウス１４又はキーボード１６を操作して所望のリール名を入力することができる。この場合、リール名表示欄１０４には下２桁を常に数字で入力するようになされ、この結果ビデオテープごとに連番を割り当てるようにすれば、編集装置２内のコンピュータ４（図１）が割り当てられた数字に基づいてビデオテープを管理することができる。
【０１１１】
続いてオペレータは、インプットリールネームダイアログ１０３の右上に表示されたクローズドボタン１０３Ａをクリックするようにして、メイン画面３０上にテープ装填指示ダイアログ１０５をオープンさせる。
【０１１２】
オペレータは、このテープ装填指示ダイアログ１０５を用いて、図１４に示すように、記録用ビデオテープレコーダ１５Ａ〜１５Ｄにリール名（「ＴＥＳＴ０１」）で表されるビデオテープを装填して準備できたらＯＫボタン１０６をクリックしてなさいという表示を目視確認しながら、ビデオテープを装填した後にＯＫボタン１０６をクリックすることによりバックアップを開始させる。一方キャンセルボタン１０７をクリックするとバックアップダイアログ８０に戻る。
【０１１３】
このバックアップダイアログ８０は、テープ装填指示ダイアログ１０５内のＯＫボタン１０６がクリックされるか又はバックアップダイアログ８０内のバックアップ表示部９２がクリックされると、プロクルスバー９１の左上に「Ｃｒｅａｔｉｎｇａ  ｔｉｍｅｌｉｎｅ」と表示する。その際、編集装置２内のコンピュータ４（図１）は上述のような仮想タイムスケール上でプロジェクトファイルのうちクリップの映像音声を所定間隔でカット繋ぎで並べるようにしてバックアップ用のデータを作成する。
【０１１４】
そしてバックアップダイアログ８０は、上述のようにマスタテープを作成する場合にはプログレスバー９１の左上に「Ｃｒｅａｔｉｎｇ  ａ  ｍａｓｔｅｒ  ｔａｐｅ」を表示する。その際、編集装置２内のコンピュータ４は、バックアップ前に上述のようなアッセンブル編集を用いてマスタテープを作成する。
【０１１５】
続いてバックアップダイアログ８０は、ハードディスク装置３に記録されているクリップをプロジェクト単位で記録用のビデオテープレコーダ１５Ａ〜１５Ｄ内のビテオテープにダウンロードする場合にはプスグレスバー９１の左上に「Ｄｏｗｎｌｏａｄｉｎｇ  ｔｏ  Ｂａｃｋｕｐ  ｔａｐｅ」を表示する。その際、編集装置２内のコンピュータ４はプロジェクトファイルを構成するクリップの映像音声のみを記録用ビデオテープレコーダ１５Ａ〜１５Ｄのビデオテープにダウンロードした後、バックアップファイルを作成してハードディスク装置３に格納する。
【０１１６】
ここでバックアップ中にビデオテープが終了した場合には、上述したテープ装填指示ダイアログ１０５（図１４）が表示され、次のリール名で表されるビデオテープの装填指示が同様に表示される。オペレータは当該ビデオテープを装填したらＯＫボタン１０６をクリックすることによりバックアップを開始させる。
【０１１７】
（５）リストアダイアログ
続いてオペレータは、メイン画面３０に表示された図示しないファイルオープンのためのボタンをクリックすることによって、図１５に示すようなオープンダイアログ１１０がメイン画面３０上に重ねて表示するようになされている。
【０１１８】
そしてオペレータは、このオープンダイアログ１１０を用いてバックアップファイル１１１を開くと、図１６に示すようなリストアダイアログ１１２をオープンさせることができる。オペレータはこのリストアダイアログ１１２を用いて、バックアップ対象でなるビデオテープからハードディスク装置３にプロジェクト単位でクリップの映像音声をアップロードすることができる。
【０１１９】
実際上このリストアダイアログ１１２では、メイン画面３０上に表示されたプロジェクトについて、画面左上には、当該プロジェクトにおける全クリップ数１１３が表示され、さらに必要に応じて残存クリップ数１１４及びバックアップ対象となるビデオテープのリール名１１５が表示される。
【０１２０】
さらにこの下側には、クリップビン名１１６及びクリップ名１１７がそれぞれハードディスク装置３及バックアップ対象となるビデオテープレコーダ１５Ａ〜１５Ｄへのデータ転送中に表示される。
【０１２１】
またこのリストダイアログ１１２の画面右上には、このプロジェクトのリストアの全所要時間１１８及びその全所要時間に至るまでの残存時間１１９がそれぞれ表示される。
【０１２２】
さらにこのリストアダイアログ１１２の画面下段には、リストア中にトータル時間に至るまでの進行状況を表わすプスグレスバー１２０が表示されている。このプスグレスバー１２０の下側には、リストア表示部１２１、全中止表示部１２２、キャンセル表示部１２３及びヘルプ表示部１２４がそれぞれ表示されており、このうち操作有効状態にある表示部１２１〜１２４をマウス操作によりクリックすることにより当該各表示部１２１〜１２４に割り当てられた機能を実行するようになされている。
【０１２３】
オペレータはこのリストアダイアログ１１２に表示されたリストア表示部１２１をマウス操作によりクリックするようにして、上述したリストアを実行させる。
【０１２４】
実際上、このとき編集装置２では、コンピュータ４（図２）内のＣＰＵ２０は、バックアップ対象でなるビデオテープに記録されたクリップの映像音声の記録開始のタイムコードと当該クリップのデュレーションを基準として、各クリップごとにハードディスク装置３のハードディスクにアップロードする。
【０１２５】
このようにＣＰＵ２０がメイン画面３０に表示されたプロジェクトのバックアップファイルをハードディスク装置３のハードディスクにアップロードするごとに、上述した図１４に示すテープ装填指示ダイアログ１０５がメイン画面３０上に重畳して表示される。
【０１２６】
なお図６に示すメイン画面３０のクリップ情報表示部３２において、リストアされたクリップにはコピーのクリップも含めて、通常のプロジェクトでは未だアップロードしていないことを表す赤色のインジケータがサムネイルピクチャＴＮ１〜ＴＮ６の右上部に表示されると共に、既にアップロード済みであることを表す緑色のインジケータがサムネイルピクチャＴＮ１〜ＴＮ６の右上部に表示される。このメイン画面３０のクリップ情報表示部３２をテキスト形式で表示した図５においては、編集リスト作成部３５の各トラックの左端に配置されたアイコンを同様に配色させるようにしても良い。
【０１２７】
これによりオペレータはリストア終了後のクリップに対して、サムネイルピクチャＴＮ１〜ＴＮ６又はアイコンを目視することにより瞬時にアップロード済みか否かを色の違いから判断することができる。
【０１２８】
またアップロード済みであるクリップに応じた緑色のインジケータをダブルクリックするか又はリストア対象としてメニュー選択をすると、当該クリップをバックアップ対象でなるビデオテープに記録されている映像音声素材として利用することができる。当該クリップに対応するサムネイルピクチャＴＮ１〜ＴＮ６及びアイコンは赤色となる。
【０１２９】
このように再度バックアップ対象でなるビデオテープからクリップごとにアップロードをやり直すことができるため、アップロードでの記録中に映像や音声が乱れたクリップがあった場合や、ビデオテープを間違えて使用した場合でも当該ビデオテープに記録された全データについて再度始めからやり直す手間を省略することができる。
【０１３０】
（６）バックアップ処理手順
ここで実際上ＣＰＵ２０は、図１７及び図１８に示すようにバックアップ処理手順ＲＴ１に従って、ハードディスク装置３内のハードディスクに記録されている各クリップの映像及び音声データをプロジェクト単位でビデオテープレコーダ１５Ａ〜１５Ｄ内のビデオテープにダウンロードすることができる。
【０１３１】
すなわちＣＰＵ２０は、メイン画面３０上に表示されたメニュー欄のうちアイコンを経由してバックアップダイアログ８０がクリックされると、図１７のようなバックアップ処理手順ＲＴ１をステップＳＰ０から入り、続くステップＳＰ１において、ＣＰＵ２０は、ハードディスク装置３内のハードディスクに記録されている映像及び音声データについてのクリップのみを選択する。
【０１３２】
続いてＣＰＵ２０は、ステップＳＰ２において、各クリップのうちバックアップ対象となるビデオテープレコーダ１５Ａ〜１５Ｄのオーディオ入力として必要な最大チャンネル数を検出して表示した後、ステップＳＰ３に進む。
【０１３３】
このステップＳＰ３において、ＣＰＵ２０は、プロジェクトファイルを構成するクリップのうち同じＩＤ番号をもつクリップ同士を検出して、これらを１つのグループ化した後、ステップＳＰ４に進んで当該グループの中から代表となるクリップを決定する。続いてＣＰＵ２０は、ステップＳＰ５において、各グループの代表となるクリップをバックアップ対象とする。
【０１３４】
続いてステップＳＰ６において、ＣＰＵ２０は、デュレーション（素材長）が最も長いクリップを検出し、当該クリップのデュレーションをメイン画面３０上に表示されているバックアップダイアログ８０内に表示した後、ステップＳＰ７に進む。
【０１３５】
このステップＳＰ７において、ＣＰＵ２０は、プロジェクトのバックアップの全所要時間を表示した後、図１８に示すステップＳＰ８に進んで当該バックアップ対象となるクリップを順次指定された所定間隔（例えば４秒）で仮想タイムスケール上にカット繋ぎで並べる。
【０１３６】
続いてステップＳＰ９において、ＣＰＵ２０は、バックアップの対象となるビデオテープを所定時間（例えば１分間）のみフォーマット化した後、ステップＳＰ１０に進んで、当該フォーマット化されたバッグアップ用のデータをアッセンブル編集するようにしてビデオテープにダウンロードする。
【０１３７】
この後ＣＰＵ２０は、ステップＳＰ１１に進んで、ビデオテープに記録された各クリップのタイムスケール上のタイムコードと当該ビデオテープのリール名を記録した後、ステップＳＰ１２に進んで、残存するバックアップのトータル時間を表示する。
【０１３８】
さらにステップＳＰ１３において、ＣＰＵ２０は、最後のクリップをダウンロードしたか否かを判断し、否定結果を得たときには、このプロジェクトについて未だ残存するクリップがあることを表しており、このときＣＰＵ２０はステップＳＰ１４に進んで、ビデオテープがテープエンドであるか否かを判断する。
【０１３９】
このステップＳＰ１４において否定結果を得ると、このことはビデオテープが残存するクリップを有し、かつ未だテープエンドになっていないことを表しており、このときＣＰＵ２０は、再度ステップＳＰ１０に戻って上述と同様の処理を繰り返す。
【０１４０】
これに対してステップＳＰ１４において肯定結果を得ると、このことはビデオテープが残存するクリップを有したままテープエンドとなったことを表しており、このときＣＰＵ２０は、ステップＳＰ１５に進んでビデオテープを交換する旨としてのテープ装填指示ダイアログ１０５（図１４）をメッセージ表示する。
【０１４１】
この後ＣＰＵ２０は、ステップＳＰ１６に進んで、ダウンロードが中断したクリップの先頭をタイムスケール上の開始位置として、その時点からダウンロードを実行した後、再度ステップＳＰ９に戻って上述と同様の処理を繰り返す。
【０１４２】
これに対してステップＳＰ１３において肯定結果を得ると、このことはプロジェクトについて全てのクリップをダウンロードし終えたことを表しており、このときＣＰＵ２０は、プロジェクトファイルのクリップにリール名と、記録したタイムコードを付加することによってバックアップファイルを作成した後、このままステップＳＰ１９に進んで当該バックアップ処理手順ＲＴ１を終了する。
【０１４３】
（８）リストア処理手順
また実際上ＣＰＵ２０は、図１９に示すようにリストア処理手順ＲＴ２に従って、バックアップ対象でなるビデオテープからハードディスク装置３内のハードディスクにプロジェクト単位でクリップの映像音声をアップロードすることができる。
【０１４４】
すなわちＣＰＵ２０は、メイン画面３０上に表示された上述したバックアップダイアログ８０（図９）を経由してバックアップのプロジェクトファイルを開くようにマウス操作すると、そのままリストアダイアログ１１２（図１６）がオープンとなり、図１９のようなリストア処理手順ＲＴ２をステップＳＰ２０から入る。
【０１４５】
続くステップＳＰ２１において、ＣＰＵ２０は、バックアップされているビテオテープをビデオテープレコーダ１５Ａ〜１５Ｄに装填し、当該ビデオテープレコーダ１５Ａ〜１５Ｄの接続ポートを設定する旨を表示した後、ステップＳＰ２２に進む。
【０１４６】
このステップＳＰ２２において、ＣＰＵ２０は、バックアップ対象となるビデオテープに記録されたクリップの記録開始点をイン点として、各クリップごとにプロジェクト単位でアップロードし、そのままステップＳＰ２３に進む。
【０１４７】
このステップＳＰ２３において、ＣＰＵ２０は、バックアップ対象となったビデオテープにおけるプロジェクトのフォーマット及びタイムコードではなく、バックアップ前の元のプロジェクトのフォーマット及びタイムコードでハードディスク装置３内のハードディスクに記録する。
【０１４８】
続くステップＳＰ２４において、ＣＰＵ２０は、バックアップファイルをハードディスク装置３内のハードディスクにアップロードするごとに、各クリップのＩＤ番号を新たにプロジェクトファイルに登録した後、ステップＳＰ２５に進む。
【０１４９】
このステップＳＰ２５において、ＣＰＵ２０は、同じＩＤ番号をもつクリップ同士で構成されるグループの代表としてのクリップがアップロードされた場合、当該グループにおける代表以外のクリップをハードディスク装置３内で記録してそのＩＤ番号を登録する。すなわち当該グループの代表のクリップのみをリストアすることなくハードディスク装置３からコピーさせる。
【０１５０】
続いてＣＰＵ２０は、ステップＳＰ２６に進んで、自発的又は事故によってリストアが途中で中断されたか否かを判断した後、否定結果を得たとき、すなわち現在もリストアが継続している場合にはステップＳＰ２７に進む。
【０１５１】
一方ステップＳＰ２６において肯定結果を得ると、このことはリストアが途中で中断したことを表しており、このときＣＰＵ２０はそのままステップＳＰ２９に進んで当該リストア処理手順ＲＴ２を終了する。
【０１５２】
このステップＳＰ２７において、ＣＰＵ２０は、バックアップ対象でなるビデオテープについて最後のクリップまでアップロードしたか否かを判断する。このステップＳＰ２７において否定結果を得ると、このことはビデオテープについて未だ残存するクリップがあることを表しており、このときＣＰＵ２０は、再度ステップＳＰ２３に戻って上述と同様の処理を繰り返す。
【０１５３】
一方ステップＳＰ２７において肯定結果を得ると、ＣＰＵ２０は、ステップＳＰ２８に進んで、ビデオテープについては残存するクリップはないものの、プロジェクトについて最後のクリップまでアップロードしたか否かを判断する。
【０１５４】
このステップＳＰ２８において否定結果を得ると、このことは最後のクリップまでアップロードしていないことを表しており、このときＣＰＵ２０は再度ステップＳＰ２１に戻って上述と同様の処理を繰り返す。
【０１５５】
これに対してステップＳＰ２８において肯定結果を得ると、このことはプロジェクトの最後までクリップをアップロードしたことを表しており、このときＣＰＵ２０はそのままステップＳＰ２９に進んで当該リストア処理手順ＲＴ２を終了する。
【０１５６】
（８）本実施の形態の動作及び効果
以上の構成において、この編集システム１では、メイン画面３０に表示されるプロジェクトごとに、ハードディスク装置３に記録されているプロジェクトファイルのうちクリップの映像音声のみを所定間隔で仮想のタイムスケール上にカット繋ぎで並べた後、記録用のビデオテープレコーダ１５Ａ〜１５Ｄ内のビデオテープにダウンロードするようにしてバックアップを実行する。
【０１５７】
このときクリップの映像音声が記録されたビデオテープには、当該各クリップの記録開始点のタイムコードとそのデュレーション（素材長）も記録されておりこの結果、当該記録開始点のタイムコード及びデュレーションを基準として各クリップごとにハードディスク装置３にアップロードした場合には、元の編集内容がクリップ単位で保持されているためオペレータは編集作業をそのまま続行することができる。
【０１５８】
このようにかかる編集システム１においては、ハードディスク装置３から記録用ビデオテープレコーダ１５Ａ〜１５Ｄへの各クリップの映像及び音声データのバックアップをプロジェクト単位で実行するようにしたことにより、オペレータはプロジェクトごとにハードディスク装置３内のハードディスクに記録されている各クリップの映像及び音声データをフォーマット変換することなく容易にデータ転送することができる。
【０１５９】
さらにビデオテープに記録されている編集映像及び編集音声をプロジェクト単位又はクリップ単位で元のハードディスク装置３内のハードディスクにリストアするようにしたことにより、この編集システム１を複数のオペレータが共用する場合には、まず１人目のオペレータが編集作業の途中に段階で映像素材及び音声素材をそのプロジェクトごとビデオテープにバックアップしておき、続いて２人目のオペレータが編集作業を行った後で再度１人目のオペレータが前回の編集作業をそのまま続行することができるといった利点を得ることができる。
【０１６０】
以上の構成によれば、この編集システム１において、メイン画面３０に表示されたプロジェクトごとにハードディスク装置３から記録用ビデオテープレコーダ１５Ａ〜１５Ｄへの各クリップの映像及び音声データのバックアップを実行するようにしたことにより、オペレータが所望する編集作業内容でハードディスク装置３及び記録用ビデオテープレコーダ１５Ａ〜１５Ｄ間で各クリップの映像及び音声データを転送することができ、かくして編集時間を格段と短縮し得る編集装置を実現することができる。
【０１６１】
（９）他の実施の形態
なお上述の実施の形態においては、ハードディスク（第１の記録媒体）に記録された複数の映像及び又は音声素材の中から所望する映像及び又は音声素材をプロジェクト単位（編集作業単位）で指定するためのメイン画面（指定画面）３０を表示する表示手段としてディスプレイ１３を適用した場合について述べたが本発明はこれに限らず、表示手段としてはこの他種々のものを広く適用することができる。
【０１６２】
また上述の実施の形態においては、メイン画面（指定画面）３０を用いて指定されたプロジェクト単位（編集作業単位）の１又は複数の映像及び又は音声素材のデータをハードディスク装置（外部再生装置）３によりハードディスク（第１の記録媒体）から再生させると共に、当該プロジェクト単位（編集作業単位）の各映像及び又は音声素材のデータをバックアップデータとしてビデオテープレコーダ（外部記録手段）１５Ａ〜１５Ｄにより一括してビデオテープ（第２の記録媒体）に記録させるように、ビデオテープレコーダ（外部記録手段）１５Ａ〜１５Ｄ及びハードディスク装置（外部再生装置）３を制御する制御手段としてコンピュータ４内のＣＰＵ２０を適用した場合について述べたが、本発明はこれに限らず、制御手段としてはこの他種々の構成のものを広く適用することができる。
【０１６３】
さらに上述の実施の形態においては、コンピュータ４はプロジェクトごとにハードディスク装置３に記録されているプロジェクトファイルのうちクリップの映像音声のみを所定間隔でカット繋ぎで並べてバックアップ用のデータを作成した場合について述べたが、本発明はこれに限らず、コンピュータ４は、クリップの映像音声に加えて編集リストやタイトルクリップを含めるようにしてバックアップ用のデータを作成するようにしても良い。
【０１６４】
【発明の効果】
上述のように本発明によれば、複数の映像素材及び音声素材を編集する編集装置において、複数の映像素材及び音声素材の中から編集素材の対象となる第１の映像素材及び第１の音声素材を登録することによって編集リストを作成し、表示手段に表示させるように処理し、編集リストに従って第１の映像素材及び第１の音声素材を再生すると共に、同じ識別番号が付加された第２の映像素材及び第２の音声素材を１つのグループとしてグループ化し、同じ識別番号のグループの中から代表となる第３の映像素材及び第３の音声素材のみをバックアップデータの対象として記録するようにしたことにより、バックアップするデータを最小限に抑えることができるため、記録手段のメモリ容量を削減できるとともに編集効率を向上でき、かくして編集作業を格段に向上し得る編集装置を実現できる。
【０１６５】
また本発明によれば、複数の映像素材及び音声素材を編集する編集方法において、編集素材の対象となる第１の映像素材及び第１の音声素材に対して編集リストを作成し、表示手段に表示させるように処理し、編集リストに従って第１の映像素材及び第１の音声素材を再生すると共に、同じ識別番号が付加された第２の映像素材及び第２の音声素材を１つのグループとしてグループ化し、同じ識別番号のグループの中から代表となる第３の映像素材及び第３の音声素材のみをバックアップデータの対象として記録するようにしたことにより、バックアップするデータを最小限に抑えることができるため、記録手段のメモリ容量を削減できるとともに編集効率を向上でき、かくして編集作業を格段に向上し得る編集方法を実現できる。
【図面の簡単な説明】
【図１】本実施の形態による編集システムの構成を示すブロック図である。
【図２】コンピュータの構成を示すブロック図である。
【図３】メイン画面を示す略線図である。
【図４】ビデオクリップエディットダイロアグを示す略線図である。
【図５】メイン画面を示す略線図である。
【図６】メイン画面を示す略線図である。
【図７】メイン画面を示す略線図である。
【図８】セレクトエフェクトダイアログを示す略線図である。
【図９】バックアップダイアログを示す略線図である。
【図１０】バックアップ順番ダイアログを示す略線図である。
【図１１】出力信号フォーマットダイアログを示す略線図である。
【図１２】セーブダイアログを示す略線図である。
【図１３】インプットリールネームダイアログを示す略線図である。
【図１４】テープ装填指示ダイアログを示す略線図である。
【図１５】オープンダイアログを示す略線図である。
【図１６】リストダイアログを示す略線図である。
【図１７】バックアップ処理手順の説明に供するフローチャートである。
【図１８】バックアップ処理手順の説明に供するフローチャートである。
【図１９】リストア処理手順の説明に供するフローチャートである。
【符号の説明】
１……編集システム、２……編集装置、３……ハードディスク装置、４……コンピュータ、５……システム制御部、９……映像特殊効果処理部、１０……音声入出力／ミキサ部、１１……ディスク制御部、１３……ディスプレイ、１５Ａ〜１５Ｄ……ビデオテープレコーダ、２０……ＣＰＵ、３０……メイン画面、８０……バックアップダイアログ、８５……バックアップ順番ダイアログ、８６……出力信号フォーマットダイアログ、１００……セーブダイアログ、１０３……インプットリールネームダイアログ、１４……テープ装填指示ダイアログ、１５……オープンダイアログ、１１２……リストアダイアログ、ＲＴ１……バックアップ処理手順、ＲＴ２……リストア処理手順。
【図１】
0004051648.tif 000002
【図２】
0004051648.tif 000003
【図３】
0004051648.tif 000004
【図４】
0004051648.tif 000005
【図５】
0004051648.tif 000006
【図６】
0004051648.tif 000007
【図７】
0004051648.tif 000008
【図８】
0004051648.tif 000009
【図９】
0004051648.tif 000010
【図１０】
0004051648.tif 000011
【図１１】
0004051648.tif 000012
【図１３】
0004051648.tif 000013
【図１２】
0004051648.tif 000014
【図１４】
0004051648.tif 000015
【図１５】
0004051648.tif 000016
【図１６】
0004051648.tif 000017
【図１７】
0004051648.tif 000018
【図１８】
0004051648.tif 000019
【図１９】
0004051648.tif 000020